(57)【要約】【課題】  開閉検知用磁石が貼り付けられる磁石用両面テープを削減するとともに、組立作業性を向上させ、さらに、磁石と磁力センサを接近させることにより、軽量化を可能とする開閉式携帯端末装置の提供を目的とする。【解決手段】  開閉式携帯端末装置１は、表示部２と、入力デバイス部３と、表示部２と入力デバイス部３を開閉自在に連結する連結部５とを備え、磁気センサ１２が開閉検知用磁石１１の磁気を検知することにより、表示部２と入力デバイス部３との開閉を検知し、かつ、開閉検知用磁石１１が、スクリーン４１の周縁部の裏側に、スクリーン用両面テープ４１によって、貼り付けられた構成としてある。【選択図】  図１
2006217142.tif 000002
【特許請求の範囲】
【請求項１】
表示デバイス，この表示デバイスを保護するスクリーン及び開閉検知用磁石を有する表示部と、入力手段及び磁気センサを有する入力デバイス部と、前記表示部と入力デバイス部を開閉自在に連結する連結部とを備え、前記磁気センサが前記開閉検知用磁石の磁気を検知することにより、前記表示部と入力デバイス部との開閉を検知する開閉式携帯端末装置であって、
前記開閉検知用磁石が、前記スクリーンの周縁部の裏側に取り付けられたことを特徴とする開閉式携帯端末装置。
【請求項２】
前記開閉検知用磁石が、前記スクリーンの周縁部に貼り付けられたスクリーン用両面テープに、貼り付けられたことを特徴とする請求項１記載の開閉式携帯端末装置。
【請求項３】
表示デバイス，衝撃緩衝用のクッション及び開閉検知用磁石を有する表示部と、入力手段及び磁気センサを有する入力デバイス部と、前記表示部と入力デバイス部を開閉自在に連結する連結部とを備え、前記磁気センサが前記開閉検知用磁石の磁気を検知することにより、前記表示部と入力デバイス部との開閉を検知する開閉式携帯端末装置であって、
前記開閉検知用磁石が、前記クッションの内部又は裏側に取り付けられたことを特徴とする開閉式携帯端末装置。
【請求項４】
前記開閉検知用磁石が、前記クッションに貼り付けられたクッション用両面テープに、貼り付けられたことを特徴とする請求項３記載の開閉式携帯端末装置。
【請求項５】
表示デバイス，化粧プレート及び開閉検知用磁石を有する表示部と、入力手段及び磁気センサを有する入力デバイス部と、前記表示部と入力デバイス部を開閉自在に連結する連結部とを備え、前記磁気センサが前記開閉検知用磁石の磁気を検知することにより、前記表示部と入力デバイス部との開閉を検知する開閉式携帯端末装置であって、
前記開閉検知用磁石が、前記化粧プレートの裏側に取り付けられたことを特徴とする開閉式携帯端末装置。
【請求項６】
前記開閉検知用磁石が、前記化粧プレートに貼り付けられた化粧プレート用両面テープに、貼り付けられたことを特徴とする請求項５記載の開閉式携帯端末装置。
【請求項７】
前記表示部の筐体又はクッションに、前記開閉検知用磁石が収容される凹部又は開口部を設けたことを特徴とする請求項１〜６のいずれか一項に記載の開閉式携帯端末装置。
【発明の詳細な説明】
【技術分野】
【０００１】
本発明は、開閉式携帯端末装置に関し、特に、磁石用両面テープの代わりに、表示デバイス保護用スクリーン（適宜、スクリーンと略称する。）や衝撃緩衝用のクッションなどが貼り付けられる両面テープに、開閉検知用磁石を貼り付けることにより、部品点数の削減や組立作業性を向上させることを可能とする開閉式携帯端末装置に関する。
【背景技術】
【０００２】
従来、開閉式携帯端末装置は、磁力センサと開閉検知用磁石（適宜、磁石と略称する。）からなる開閉検知装置を備えている。これにより、開閉式携帯端末装置は、使用（開）状態において、ＬＣＤなどの表示デバイスやキーボタンを発光させて、視認性を向上させるとともに、待機（閉）状態において、発光させていた表示デバイスやキーボタンを消灯させてバッテリーの消費電流を抑えることができる。
【０００３】
（従来例）
図１１は、従来例にかかる開閉式携帯端末装置の概略図であり、（ａ）は開状態の斜視図を、（ｂ）は閉状態の斜視図を示している。
また、図１２は、従来例にかかる開閉式携帯端末装置の開状態における概略Ｘ−Ｘ断面図を示している。
さらに、図１３は、従来例にかかる開閉式携帯端末装置の閉状態における概略Ｘ−Ｘ断面図を示している。
図１１，１２，１３において、開閉式携帯端末装置１００（適宜、携帯端末装置１００と略称する。）は、表示デバイス４が設けられた表示部２と、入力手段１０６が設けられた入力デバイス部３と、表示部２の筐体２１０と入力デバイス部３の筐体３１を回動自在に連結するヒンジ５とからなっている。
【０００４】
表示部２は、筐体２１０内に、表示デバイス４，ＩＣ等の電子部品（図示せず）が実装された基板２２，フレーム２１１，及び，磁石１１などを内蔵している。
磁石１１は、通常、矩形板状であり、筐体２１０の上部であって、かつ、表示面側の内壁に磁石用両面テープ１３を介して貼り付けてある。このようにすると、筐体２１０が閉じられた際、筐体３１に設けられた磁気センサ１２と接近するので、磁石１１の磁力を低減することができる。
【０００５】
筐体２１０は、ほぼ中央部に矩形状の開口部２１２が形成され、この開口部２１２に内側からフレーム２１１が取り付けられている。このフレーム２１１の表示面側に、表示デバイス４が取り付けられ、さらに、フレーム２１１の反表示面側に、基板２２が取り付けられている。一般的に、表示デバイス４は、ＬＣＤや有機ＥＬディスプレイなどが用いられる。
また、筐体２１０は、開口部２１２の周囲に矩形環状の凹部２１３が形成されており、凹部２１３底面に矩形環状のスクリーン用両面テープ４２を介して、スクリーン４１が貼り付けられている。このスクリーン４１は、表示デバイス４を保護するためのものであり、透明なアクリル樹脂やＰＣ樹脂が用いられる。なお、両面テープ１３，４２の代わりに、粘着剤や接着剤等を用いることもできる。
さらに、筐体２１０は、表示面側の先端部に、シリコンゴムやアクリルウレタン樹脂などの弾性体からなる円柱を軸線に沿って分割した形状のクッション２３が取り付けられており、筐体２１０を閉じる際の衝撃を吸収することができる。
【０００６】
入力デバイス部３は、ＩＣ等の電子部品（図示せず）が実装された基板３２，入力手段１０６及び電池３３などが内蔵されている。一般的に、入力手段１０６は、キーシートや操作ボタンなどが用いられる。
磁気センサ１２は、基板３２の所定位置（筐体２１０が閉じられると、磁石１１と対向する位置）に実装されている。通常、磁気センサ１２は、ホールＩＣやＭＲ素子などの磁気検出素子が用いられ、図１３に示すように、表示部２が折り畳まれると、磁石１１が接近することによって発生する磁束密度の変化を検知し、表示部２の開閉状態を判断する。
【０００７】
表示部２の筐体２１０や入力デバイス部３の筐体３１は、Ｍｇ(マグネシウム)合金，Ａl(アルミ)合金，ＰＣ樹脂，ＡＢＳ樹脂などで形成されている。さらに、ヒンジ５は、表示部２と入力デバイス部３とを連結し、任意の角度で係止することができる。
また、携帯端末装置１００は、ＰＤＡ（Personal  Data  Assistance，Personal  Digital  Assistants：個人向け携帯型情報通信機器）としてあるが、これに限定されるものではなく、たとえば、携帯電話機，ＰＨＳ（Personal  Handyphone System）などでもよい。なお、たとえば、携帯端末装置１００が携帯電話機である場合、図１１，１２，１３において、スピーカやマイク，通信手段等を省略してある。
さらに、携帯端末装置１００は、連結部としてヒンジ５を備え、折畳式の連結方式としてあるが、この方式に限定されるものではなく、たとえば、スライド式，回転式(リボルバー型等)，ユニバーサル式（二軸以上の回転部を有するもの）などでもよい。
【０００８】
このように、従来例にかかる開閉式携帯端末装置１００は、磁石１１及び磁気センサ１２からなる開閉検知装置１０を備えることにより、使用（開）状態において、ＬＣＤなどの表示デバイス４やキーボタンを発光させて、視認性を向上させるとともに、待機（閉）状態において、発光させていた表示デバイス４やキーボタンを消灯させてバッテリーの消費電流を抑えることができる。
【０００９】
なお、磁石の固定方法は、上述した従来例に限定されるものではなく、たとえば、表示側基板に磁石を実装する固定方法（特許文献１参照）や、ヒンジ部に磁石の位置決め部を成形して、この位置決め部に磁石を固定する固定方法（特許文献２）が開示されている。
【特許文献１】特開２００３−３０９６２９号公報
【特許文献２】特開２００４−１７７３２７号公報
【発明の開示】
【発明が解決しようとする課題】
【００１０】
しかしながら、上記携帯端末装置１００は、磁石用両面テープ１３（あるいは、磁石用両面テープ１３の代わりに使用する粘着剤や接着剤等）を必要とするため、部品点数を削減できないといった問題があった。また、通常縦寸法及び横寸法が数ｍｍしかない矩形状の、微小な磁石用両面テープ１３を貼り付ける作業の作業性を改善できないといった問題があった。
【００１１】
また、磁石１１を筐体２１０の内壁に貼り付けるため、筐体２１０の肉厚分だけ磁気センサ１２から遠ざかるので、検出精度を確保するために、磁石１１の磁束密度を大きくする必要があり、その結果スピーカやレシーバなどの磁気の影響を受けやすい電子部品に悪影響を与えるといった問題があった。さらに、この悪影響を回避するには、磁石１１の実装精度を向上させる必要があるといった問題もあった。
なお、磁石１１と磁力センサ１２を接近させることにより、磁石１１の磁束密度を小さくすることができ、これにより、磁石１１を小型化するとともに軽量化を図ることができる。ただし、装置表面には、表示デバイス４や入力手段１０６などの多くの部品が配置されているので、これらの部品と干渉するといった不具合を回避する必要があった。
【００１２】
本発明は、上記問題を解決すべく、開閉検知用磁石が貼り付けられる磁石用両面テープを削減するとともに、組立作業性を向上させ、さらに、磁石と磁力センサを接近させることにより、軽量化を可能とする開閉式携帯端末装置の提供を目的とする。
【課題を解決するための手段】
【００１３】
上記目的を達成するため、本発明の開閉式携帯端末装置は、表示デバイス，この表示デバイスを保護するスクリーン及び開閉検知用磁石を有する表示部と、入力手段及び磁気センサを有する入力デバイス部と、前記表示部と入力デバイス部を開閉自在に連結する連結部とを備え、前記磁気センサが前記開閉検知用磁石の磁気を検知することにより、前記表示部と入力デバイス部との開閉を検知する開閉式携帯端末装置であって、前記開閉検知用磁石が、前記スクリーンの周縁部の裏側に取り付けられた構成としてある。
このようにすると、スクリーン周縁部の裏側のスペースを有効利用して、磁石を取り付けることができる。
【００１４】
また、本発明の開閉式携帯端末装置は、前記開閉検知用磁石が、前記スクリーンの周縁部に貼り付けられたスクリーン用両面テープに、貼り付けられた構成としてある。
このようにすると、磁石用両面テープが不要となり、部品点数を削減できるとともに、微小な磁石用両面テープの代わりに、大きく貼りやすいスクリーン用両面テープを利用することができ、貼り付ける作業の作業性を改善することができる。
【００１５】
また、本発明の開閉式携帯端末装置は、表示デバイス，衝撃緩衝用のクッション及び開閉検知用磁石を有する表示部と、入力手段及び磁気センサを有する入力デバイス部と、前記表示部と入力デバイス部を開閉自在に連結する連結部とを備え、前記磁気センサが前記開閉検知用磁石の磁気を検知することにより、前記表示部と入力デバイス部との開閉を検知する開閉式携帯端末装置であって、前記開閉検知用磁石が、前記クッションの内部又は裏側に取り付けられた構成としてある。
このようにすると、磁石を磁気センサに接近させて取り付けることができるので、接近させた分だけ磁石の磁束密度を小さくすることができ、スピーカやレシーバなどの磁気の影響を受けやすい電子部品に悪影響を与えるといった心配を排除することができる。また、磁石の磁束密度を小さくすることができるので、磁石を小型化でき、開閉式携帯端末装置の軽量化を図ることができる。
【００１６】
また、本発明の開閉式携帯端末装置は、前記開閉検知用磁石が、前記クッションに貼り付けられたクッション用両面テープに、貼り付けられた構成としてある。
このようにすると、磁石用両面テープが不要となり、部品点数を削減できるとともに、微小な磁石用両面テープの代わりに、大きく貼りやすいクッション用両面テープを利用することができ、貼り付ける作業の作業性を改善することができる。
【００１７】
また、本発明の開閉式携帯端末装置は、表示デバイス，化粧プレート及び開閉検知用磁石を有する表示部と、入力手段及び磁気センサを有する入力デバイス部と、前記表示部と入力デバイス部を開閉自在に連結する連結部とを備え、前記磁気センサが前記開閉検知用磁石の磁気を検知することにより、前記表示部と入力デバイス部との開閉を検知する開閉式携帯端末装置であって、前記開閉検知用磁石が、前記化粧プレートの裏側に取り付けられた構成としてある。
このようにすると、磁石を磁気センサに接近させて取り付けることができ、接近させた分だけ磁石の磁束密度を小さくすることができるので、磁気の影響を受けやすい電子部品に悪影響を与えるといった心配を排除することができ、また、磁石を小型化して、開閉式携帯端末装置の軽量化を図ることができる。
【００１８】
また、本発明の開閉式携帯端末装置は、前記開閉検知用磁石が、前記化粧プレートに貼り付けられた化粧プレート用両面テープに、貼り付けられた構成としてある。
このようにすると、磁石用両面テープが不要となり、部品点数を削減できるとともに、微小な磁石用両面テープの代わりに、大きく貼りやすい化粧プレート用両面テープを利用することができ、貼り付ける作業の作業性を改善することができる。
【００１９】
また、本発明の開閉式携帯端末装置は、前記表示部の筐体又はクッションに、前記開閉検知用磁石が収容される凹部又は開口部を設けた構成としてある。
このようにすると、磁石が位置決めされるので、実装精度を向上させることができるとともに、取付け作業の作業性を向上させることができる。
【発明の効果】
【００２０】
本発明の開閉式携帯端末装置によれば、開閉検知用磁石が貼り付けられる磁石用両面テープを削減するとともに、組立作業性を向上させ、さらに、磁石と磁力センサを接近させることにより、軽量化を図ることができる。
【発明を実施するための最良の形態】
【００２１】
［第一実施形態］
図１は、本発明の第一実施形態に係る開閉式携帯端末装置の概略分解図を示している。
また、図２は、本発明の第一実施形態に係る開閉式携帯端末装置の概略Ａ−Ａ断面図を示している。
図１，２において、携帯端末装置１は、従来例の携帯端末装置１００と比較して、磁石１１を取り付ける位置や磁石１１が貼り付けられる両面テープ４２等が相違する。他の構成要素は従来例とほぼ同様としてある。
したがって、図１，２において、図１１，１３と同様の構成部分については同一の符号を付して、その詳細な説明を省略する。
【００２２】
表示部２の筐体２１は、開口部２１４の周囲に、スクリーン４１が装入される段付き状の凹部２１３が形成されており、この凹部２１３の所定位置に、磁石１１が装入される凹部１４が形成されている。このようにすると、磁石１１が所定位置に容易に位置決めされるので、実装精度を向上させることができるとともに、磁石１１の取付け作業の作業性を向上させることができる。また、凹部１４の深さは、磁石１１の厚さより深くなっており、磁石１１が凹部１４に装入されても、支障なくスクリーン４１を貼り付けることができる。
【００２３】
ここで、好ましくは、凹部１４の深さを、磁石１１の厚さとほぼ同じにするとよい。このようにすると、スクリーン用両面テープ４２が貼り付けられたスクリーン４１を凹部２１３に貼り付けると、磁石１１とスクリーン用両面テープ４２が接触し、磁石１１をスクリーン用両面テープ４２に貼り付けることができる。すなわち、磁石用両面テープ１３を使用しなくてもすむので、部品点数を削減することができる。さらに、微小な磁石用両面テープ１３を貼り付ける作業を行なわなくてもすむので、作業性を向上させることができる。
【００２４】
また、一般的に、スクリーン４１は筐体２１０の板厚より薄いので、図２に示すように、磁石１１は、距離Ｌだけ磁気センサ１２側に接近した状態で実装される。これにより、磁気センサ１２の検知動作を安定させることができ、あるいは、磁石１１が接近した分、磁石１１の磁力を低減することができる。
なお、本実施形態では、磁石１１を表示デバイス４に対して、クッション２３側に取り付けているが、この取付け位置に限定されるものではなく、たとえば、凹部２１３上であれば、他の部品（図示せず）と干渉しない範囲で取付け位置を設定することができる。
【００２５】
磁気センサ１２は、磁石１１の取付け位置に応じて、基板３２の所定位置に実装されている。また、本実施形態の磁気センサ１２は、入力手段６の下に実装されており、磁気センサ１２が入力手段６と干渉しないように、入力手段６の裏面に凹部６１を形成してある。
なお、その他の構成は、ほぼ従来例の携帯端末装置１００とほぼ同様としてある。
【００２６】
次に、携帯端末装置１の動作について、図面を参照して説明する。
図２に示すように、表示部２と入力デバイス部３が閉じられている場合、磁石１１と磁気センサ１２が接近するので、磁気センサ１２は、閾値以上に設定された磁石１１の磁力を検出し、表示部２と入力デバイス部３が閉じられている旨の閉信号を出力する。これにより、携帯端末装置１は、表示デバイス４やキーボタンなどを消灯させてバッテリーの消費電流を抑えることができる。
一方、図示してないが、表示部２と入力デバイス部３が開かれると、磁石１１と磁気センサ１２が離れるので、磁気センサ１２は、磁石１１の磁力を検出せず、表示部２と入力デバイス部３が開かれた旨の開信号を出力する。これにより、携帯端末装置１は、表示デバイス４やキーボタンなどを発光させて、視認性を向上させることができる。
【００２７】
このように、本実施形態の携帯端末装置１によれば、磁石１１がスクリーン用の両面テープ４２に貼り付けられるので、磁石用両面テープ１３を削減することができ、部品点数の削減と、磁石用両面テープ１３を貼り付ける工数の削減にもつながりコスト削減を実現することができる。
また、磁石１１の実装エリアが広がるので、設計の自由度を増すことができる。
さらに、表示部２と入力デバイス部３が閉じられた際、磁石１１と磁気センサ１２がより接近するので、磁石１１の磁束密度を小さくすることができ、磁石１１によるレシーバやスピーカ等の電子部品への悪影響を低減することができる。これにより、磁気の影響を受けやすい電子部品の実装位置の自由度を増大させることができる。また、磁束密度を小さくすると、磁石１１のサイズも小型化することが可能となるので、占有体積の縮小がはかられ、携帯端末装置１の小型化及び、磁石１１自体のコスト削減が可能となる。また、磁石１１の磁束密度を小さく抑えられるので、キャッシュカードなどの磁気カードへの影響も少なくすることができ、カード破損の防止の面でも効果が得られる。
【００２８】
（第一応用例）
図３は、本発明の第一実施形態の第一応用例に係る開閉式携帯端末装置の概略分解図を示している。
また、図４は、本発明の第一実施形態の第一応用例に係る開閉式携帯端末装置の概略Ｂ−Ｂ断面図を示している。
図３，４において、携帯端末装置１ａは、上記実施形態の携帯端末装置１と比較して、磁石１１を装入する凹部１４の代わりに、開口部１４ａを形成した点が相違する。他の構成要素は携帯端末装置１とほぼ同様としてある。
したがって、図３，４において、図１，２と同様の構成部分については同一の符号を付して、その詳細な説明を省略する。
【００２９】
表示部２ａの筐体２１ａは、磁石１１が取り付けられる凹部２１３に、矩形状の開口部１４ａが形成されている。この開口部１４ａに磁石１１を装入することにより、磁石１１の位置決めを容易に行なうことができ、携帯端末装置１とほぼ同様の効果を発揮することができる。
【００３０】
このように、本応用例の携帯端末装置１ａによっても、磁石１１が位置決めされるので、実装精度を向上させることができるとともに、取付け作業の作業性を向上させることができる。
【００３１】
［第二実施形態］
図５は、本発明の第二実施形態に係る開閉式携帯端末装置の概略分解図を示している。
また、図６は、本発明の第二実施形態に係る開閉式携帯端末装置の概略Ｃ−Ｃ断面図を示している。
図５，６において、携帯端末装置１ｂは、従来例の携帯端末装置１００と比較して、磁石１１を取り付ける位置や磁石１１が貼り付けられる両面テープ１６等が相違する。他の構成要素は従来例とほぼ同様としてある。
したがって、図５，６において、図１１，１３と同様の構成部分については同一の符号を付して、その詳細な説明を省略する。
【００３２】
表示部２ｂの筐体２１ｂは、クッション２３が取り付けられる位置に、クッション用両面テープ１６の厚さとほぼ同じ深さの凹部１５が形成されている。また、この凹部１５の所定位置に、磁石１１が装入される矩形状の凹部１４ｂが形成されている。このようにすると、磁石１１が所定位置に容易に位置決めされるので、実装精度を向上させることができるとともに、磁石１１の取付け作業の作業性を向上させることができる。また、凹部１４ｂの深さは、磁石１１の厚さより深くなっており、磁石１１が凹部１４ｂに装入されても、支障なくクッション２３を貼り付けることができる。
【００３３】
ここで、好ましくは、凹部１４ｂの深さを、磁石１１の厚さとほぼ同じにするとよい。このようにすると、クッション用両面テープ１６が貼り付けられたクッション２３を凹部１５に貼り付けると、磁石１１とクッション用両面テープ１６が接触し、磁石１１をクッション用両面テープ１６に貼り付けることができる。すなわち、磁石用両面テープ１３を使用しなくてもすむので、部品点数を削減することができる。さらに、微小な磁石用両面テープ１３を貼り付ける作業を行なわなくてもすむので、作業性を向上させることができる。
なお、本実施形態では、凹部１５を形成し、この凹部１５に凹部１４ｂを形成する構成としてあるが、この構成に限定されるものではなく、たとえば、クッション用両面テープ１６の代わりに接着剤（図示せず）を用いる場合には、凹部１５を形成せず、筐体２１ｂの表面に凹部１４ｂを形成してもよい。
【００３４】
また、一般的に、クッション用両面テープ１６はスクリーン４１の板厚より薄いので、図６に示すように、磁石１１は、携帯端末装置１と比べて、距離Ｌ１だけ磁気センサ１２側に接近した状態で実装される。これにより、磁気センサ１２の検知動作を安定させることができ、あるいは、磁石１１が接近した分、磁石１１の磁力を低減することができる。
【００３５】
このように、本実施形態の携帯端末装置１ｂによれば、磁石１１がクッション用両面テープ１６に貼り付けられるので、磁石用両面テープ１３を削減することができ、部品点数の削減と、磁石用両面テープ１３を貼り付ける工数の削減にもつながりコスト削減を実現することができる。
また、表示部２と入力デバイス部３が閉じられた際、磁石１１と磁気センサ１２がより接近するので、磁石１１の磁束密度を小さくすることができ、磁石１１によるレシーバやスピーカ等の電子部品への悪影響を低減することができる。これにより、磁気の影響を受けやすい電子部品の実装位置の自由度を増大させることができる。また、磁束密度を小さくすると、磁石１１のサイズも小型化することが可能となるので、占有体積の縮小がはかられ、携帯端末装置１ｂの小型化及び、磁石１１自体のコスト削減が可能となる。
【００３６】
（第二応用例）
図７は、本発明の第二実施形態の第二応用例に係る開閉式携帯端末装置の概略分解図を示している。
また、図８は、本発明の第二実施形態の第二応用例に係る開閉式携帯端末装置の概略Ｄ−Ｄ断面図を示している。
図７，８において、携帯端末装置１ｃは、上記実施形態の携帯端末装置１ｂと比較して、クッション２３ｃの取付け面に、磁石１１を装入する凹部１４ｃを形成した点が相違する。他の構成要素は携帯端末装置１ｂとほぼ同様としてある。
したがって、図７，８において、図５，６と同様の構成部分については同一の符号を付して、その詳細な説明を省略する。
【００３７】
クッション２３ｃは、裏面の所定位置に、磁石１１が装入される矩形状の凹部１４ｃが形成されており、その他の構造は、クッション２３とほぼ同様としてある。このようにすると、この凹部１４ｃに磁石１１を装入し、クッション用両面テープ１６を貼り付けることにより、磁石１１を容易にクッション２３ｃに取り付けることができる。また、クッション２３ｃは、クッション用両面テープ１６によって、表示部２ｃの筐体２１ｃに容易に取り付けることができる。
なお、表示部２ｃの筐体２１ｃは、クッション２３ｃが取り付けられる位置に、クッション用両面テープ１６の厚さとほぼ同じ深さの凹部１５が形成されている。
【００３８】
このように、本応用例の携帯端末装置１ｃによれば、表示部２ｃと入力デバイス部３が閉じられた際、磁石１１と磁気センサ１２がさらに接近するので、磁石１１の磁束密度を小さくすることができ、磁石１１を小型化することができる。また、磁石１１を小型化することにより、磁石１１のコストダウンを図ることができるとともに、携帯端末装置１ｃの小型化及び軽量化を図ることもできる。
また、クッション２３ｃに磁石１１を装入する構成となっており、取付け作業の作業性を向上させることができる。
【００３９】
［第三実施形態］
図９は、本発明の第三実施形態に係る開閉式携帯端末装置の概略分解図を示している。
また、図１０は、本発明の第三実施形態に係る開閉式携帯端末装置の概略Ｅ−Ｅ断面図を示している。
図９，１０において、携帯端末装置１ｄは、第二実施形態の携帯端末装置１ｂと比較して、磁石１１を取り付ける位置や磁石１１が貼り付けられる両面テープ１６ｃ等が相違する。他の構成要素は携帯端末装置１ｂとほぼ同様としてある。
したがって、図９，１０において、図５，６と同様の構成部分については同一の符号を付して、その詳細な説明を省略する。
【００４０】
表示部２ｄの筐体２１ｄは、表示部２ｄを組み立てるためのねじ２６が、ヒンジ５側に締め付けられている。このねじ２６を隠すために、化粧プレート２４が、化粧プレート用両面テープ１６ｃによって、筐体２１ｄに貼り付けられている。この化粧プレート２４は、樹脂又は金属等からなる筐体２１ｄの板厚より薄い平板である。
【００４１】
また、筐体２１ｄは、化粧プレート２４が取り付けられる位置に、化粧プレート２４の板厚と化粧プレート用両面テープ１６ｄの厚さの合計とほぼ同じ深さの凹部１５ｄが形成されている。また、この凹部１５の所定位置に、磁石１１が装入される矩形状の凹部１４ｄが形成されている。このようにすると、磁石１１が所定位置に容易に位置決めされるので、実装精度を向上させることができるとともに、磁石１１の取付け作業の作業性を向上させることができる。また、凹部１４ｄの深さは、磁石１１の厚さより深くなっており、磁石１１が凹部１４ｄに装入されても、支障なく化粧プレート２４を貼り付けることができる。
【００４２】
ここで、好ましくは、凹部１４ｄの深さを、磁石１１の厚さとほぼ同じにするとよい。このようにすると、化粧プレート用両面テープ１６ｄが貼り付けられた化粧プレート２４を凹部１５ｄに貼り付けると、磁石１１と化粧プレート用両面テープ１６ｄが接触し、磁石１１を化粧プレート用両面テープ１６ｄに貼り付けることができる。すなわち、磁石用両面テープ１３を使用しなくてもすむので、部品点数を削減することができる。さらに、微小な磁石用両面テープ１３を貼り付ける作業を行なわなくてもすむので、作業性を向上させることができる。
【００４３】
このように、本実施形態の携帯端末装置１ｄによれば、磁石１１が化粧プレート用両面テープ１６ｄに貼り付けられるので、磁石用両面テープ１３を削減することができ、部品点数の削減と、磁石用両面テープ１３を貼り付ける工数の削減にもつながりコスト削減を実現することができる。
【００４４】
以上、本発明の開閉式携帯端末装置について、好ましい実施形態を示して説明したが、本発明に係る開閉式携帯端末装置は、上述した実施形態にのみ限定されるものではなく、本発明の範囲で種々の変更実施が可能であることは言うまでもない。
例えば、上述した開閉式携帯端末装置は、表示部側に磁石を設け、入力デバイス部側に磁気センサを設けた構成としてあるが、表示部側に磁気センサを設け、入力デバイス部側に磁石を設けた構成としてもよく、このようにすると、設計の自由度を増大させることができる。
することができる。
【産業上の利用可能性】
【００４５】
以上説明したように、本発明の開閉式携帯端末装置は、携帯端末装置に限定されるものではなく、たとえば、小型の開閉式装置に対して、有効に適用することができる。
【図面の簡単な説明】
【００４６】
【図１】本発明の第一実施形態に係る開閉式携帯端末装置の概略分解図を示している。
【図２】本発明の第一実施形態に係る開閉式携帯端末装置の概略Ａ−Ａ断面図を示している。
【図３】本発明の第一実施形態の第一応用例に係る開閉式携帯端末装置の概略分解図を示している。
【図４】本発明の第一実施形態の第一応用例に係る開閉式携帯端末装置の概略Ｂ−Ｂ断面図を示している。
【図５】本発明の第二実施形態に係る開閉式携帯端末装置の概略分解図を示している。
【図６】本発明の第二実施形態に係る開閉式携帯端末装置の概略Ｃ−Ｃ断面図を示している。
【図７】本発明の第二実施形態の第二応用例に係る開閉式携帯端末装置の概略分解図を示している。
【図８】本発明の第二実施形態の第二応用例に係る開閉式携帯端末装置の概略Ｄ−Ｄ断面図を示している。
【図９】本発明の第三実施形態に係る開閉式携帯端末装置の概略分解図を示している。
【図１０】本発明の第三実施形態に係る開閉式携帯端末装置の概略Ｅ−Ｅ断面図を示している。
【図１１】従来例にかかる開閉式携帯端末装置の概略図であり、（ａ）は開状態の斜視図を、（ｂ）は閉状態の斜視図を示している。
【図１２】従来例にかかる開閉式携帯端末装置の開状態における概略Ｘ−Ｘ断面図を示している。
【図１３】従来例にかかる開閉式携帯端末装置の閉状態における概略Ｘ−Ｘ断面図を示している。
【符号の説明】
【００４７】
１，１ａ，１ｂ，１ｃ，１ｄ  携帯端末装置
２，２ａ，２ｂ，２ｃ，２ｄ  表示部
３  入力デバイス部
４  表示デバイス
５  ヒンジ
６  入力手段
１０  開閉検知装置
１１  磁石
１２  磁気センサ
１３  磁石用両面テープ
１４，１４ｂ，１４ｃ  凹部
１４ａ  開口部
１５，１５ｄ  凹部
１６  クッション用両面テープ
１６ｄ  化粧プレート用両面テープ
２１，２１ａ，２１ｂ，２１ｃ  筐体
２２  基板
２３，２３ｃ  クッション
２４  化粧プレート
２５  クッション
２６  ねじ
３１  筐体
３２  基板
３３  電池
４１  スクリーン
４２  スクリーン用両面テープ
６１  凹部
１００  携帯端末装置
１０６  入力手段
２１０  筐体
２１１  フレーム
２１２  開口部
２１３  凹部
２１４  開口部
【図１】
2006217142.tif 000003
【図２】
2006217142.tif 000004
【図３】
2006217142.tif 000005
【図４】
2006217142.tif 000006
【図５】
2006217142.tif 000007
【図６】
2006217142.tif 000008
【図７】
2006217142.tif 000009
【図８】
2006217142.tif 000010
【図９】
2006217142.tif 000011
【図１０】
2006217142.tif 000012
【図１１】
2006217142.tif 000013
【図１２】
2006217142.tif 000014
【図１３】
2006217142.tif 000015